(57)【要約】【課題】複数の記録層を有する光ディスクを記録／再生する場合に、迷光によるトラッキング誤差信号の変動を抑え、かつ小型化可能な光ピックアップ装置を提供すること。【解決手段】光ピックアップ装置は、波長が略４０５ｎｍのレーザ光を出射する半導体レーザ５０と、前記半導体レーザから出射された光ビームを前記光ディスクに照射する開口数が略０．８５の対物レンズ２と、前記光ディスクを反射した光ビームを受光する受光部を有する光検出器１０とを備え、前記光ディスクから前記光検出器１０までの光学倍率を略１０〜１５倍の範囲とした。【選択図】図１
2013182650.tif 000002
【特許請求の範囲】
【請求項１】
光ディスクにレーザ光を照射して情報の記録または再生を行う光ピックアップ装置において、
波長が略４０５ｎｍのレーザ光を出射する半導体レーザと、
前記半導体レーザから出射された光ビームを前記光ディスクに照射する開口数が略０．８５の対物レンズと、
前記光ディスクを反射した光ビームを受光する受光部を有する光検出器とを備え、
前記光ディスクから前記光検出器までの光学倍率を略１０〜１５倍の範囲としたことを特徴とする光ピックアップ装置。
【請求項２】
請求項１に記載の光ピックアップ装置において、
前記半導体レーザから出射された光ビームをメインビームとサブビームに分岐する回折格子を有し、
前記光検出器は、前記光ディスクを反射した前記メインビームとサブビームをそれぞれ受光する受光面を有することを特徴とする光ピックアップ装置。
【請求項３】
光ディスクにレーザ光を照射して情報の記録または再生を行う光ピックアップ装置において、
波長が略４０５ｎｍのレーザ光を出射する半導体レーザと、
前記半導体レーザから出射された光ビームを少なくともメインビームと２つのサブビームに分岐する回折格子と、
前記回折格子で分岐された光ビームを前記光ディスクに照射する開口数が略０．８５の対物レンズと、
前記光ディスクを反射した光ビームを受光する受光部を有する光検出器とを備え、
前記光検出器は、前記メインビームと前記２つのサブビームをそれぞれ受光する受光面を有し、該２つのサブビームを検出する２つの受光面の中央部には、ディスク半径方向に延び、所定幅で入射光を遮断する遮光帯を設け、
前記光ディスクから前記光検出器までの光学倍率を略８〜１５倍の範囲としたことを特徴とする光ピックアップ装置。
【請求項４】
請求項１から３のいずれかに記載の光ピックアップ装置において、
前記光検出器の受光面は複数領域に分割されており、
トラッキング誤差信号は、各分割領域の検出信号をもとにディファレンシャルプッシュプル方式により生成されることを特徴とする光ピックアップ装置。
【請求項５】
請求項１から３のいずれかに記載の光ピックアップ装置において、
前記光検出器に入射する光ビームに非点収差を与える検出レンズを備え、
前記光検出器の受光面は複数領域に分割されており、
フォーカス誤差信号は、各分割領域の検出信号をもとに非点収差方式により生成されることを特徴とする光ピックアップ装置。
【請求項６】
請求項１ないし５のいずれかに記載の光ピックアップ装置を搭載した光ディスク装置において、
前記光ピックアップ装置内における前記半導体レーザを駆動するレーザ点灯回路と、
前記光ピックアップ装置内の前記光検出器から検出された信号を用いてトラッキング誤差信号やフォーカス誤差信号を生成するサーボ信号生成回路と、
前記光ピックアップ装置を介して前記光ディスクに対し情報信号の記録または再生を行う情報信号記録回路または情報信号再生回路とを備えることを特徴とする光ディスク装置。
【発明の詳細な説明】
【技術分野】
【０００１】
本発明は、複数の記録層を有する光ディスクを好適に記録再生できる光ピックアップ装置およびこれを搭載した光ディスク装置に関する。
【背景技術】
【０００２】
光ディスクの記録容量の増大を図るため、複数の記録層を有する光ディスク（多層ディスク）とこれに対応する光ディスク装置の開発がなされている。多層ディスクでは目的層以外の記録層からの反射光（迷光）が存在し、目的層に対しいかに精度良く信号を記録・再生するかが課題となる。
【０００３】
これに関連する技術として、例えば特許文献１には、「複数の記録層を有する光ディスクから所望の信号を精度良く取得する」ことを課題として、「光源ユニット５１から出射されたＰ偏光の光束は、光ディスク１５で反射され、Ｓ偏光となってレンズ６１に入射する。そして１／４波長板６２、６３では、いずれも、光軸の＋Ｘ側に入射した光束＋１／４波長の光学的位相差が付与され。−Ｘ側に入射した光束に−１／４波長の光学位相差が与えられる。これにより、１／４波長板６３を介した信号光はＳ偏光、迷光はＰ偏光となり、偏光光学素子６４では信号光のみが透過する。」という構成が記載されている。
【０００４】
また、非特許文献１には、「２層ディスクを記録／再生するとき、目的の層とは異なる層から反射した光がある他層迷光がフォトディテクタに入射するとＴＥ信号にオフセットが生じる。このため、他層迷光対策のない従来の構成では、２層ディスクでのＴＥ信号のオフセットが単層の場合に比べ大きくなり、安定な制御が妨げられる。」ことを課題として、「トラッキング用フォトディテクタを他層迷光のない領域に配置する」構成が記載されている。これと同様の構成については特許文献２にも記載されている。
【先行技術文献】
【特許文献】
【０００５】
【特許文献１】特開２００６−３４４３４４号公報（図３、図５）
【特許文献２】特開２００４−２８１０２６号公報（図２２、図２４、図２５）
【非特許文献】
【０００６】
【非特許文献１】電子情報通信学会、信学技報ＣＰＭ２００５−１４９、２００５年１０月、ｐ．３３
【発明の概要】
【発明が解決しようとする課題】
【０００７】
一般に光ピックアップ装置では、光ディスク内にある所定の記録トラック上に正しくスポットを照射するため、フォーカス誤差信号の検出により対物レンズをフォーカス方向に変位させてフォーカス方向に調整が行われる他、トラッキング誤差信号を検出して対物レンズを光ディスクの半径方向へ変位させてトラッキング調整が行われる。これらのサーボ信号により対物レンズの位置制御が行われる。
【０００８】
多層ディスクの場合、目的の記録層を反射した信号光の他に、目的層以外の記録層（他層）を反射した迷光が同じ受光部上に入射する。受光部上に信号光と迷光が入射すると２つの光が干渉し、迷光による変動成分がトラッキング誤差信号として検出されてしまう問題がある。
【０００９】
トラッキング誤差信号の変動成分が大きくなるとトラッキング制御が不安定になるため、記録／再生性能が劣化する。そして、さらに変動量が大きくなるとトラッキング制御自体ができなくなる。このため、光ピックアップ装置および光ディスク装置においては、多層ディスクでの干渉によるトラッキング誤差信号の変動を抑制することが必須となっている。
【００１０】
特許文献１では、光ディスクで反射した光ビームを集光レンズで絞り、２枚の１／４波長板と偏光光学素子を透過させて広がった光を集光レンズで絞り、検出器に照射する構成としている。この構成により信号光と迷光を分離できるものの、検出光学系が複雑でサイズが大きくなりコストアップの課題がある。
【００１１】
非特許文献１（特許文献２）では、フォーカス用光検出器の周囲に生じるフォーカス用光ビームの他層からの迷光の外側にトラッキング用光検出器を配置し、さらにホログラム素子の中央部で回折した光を他層からの迷光の外側に飛ばす構成にしている。この構成により迷光の影響を受けなくすることはできるが、光検出器のサイズが大きくなることに伴う光ピックアップ装置のサイズとコストの課題がある。
【００１２】
本発明の目的は、複数の記録層を有する光ディスクを記録／再生する場合に、迷光によるトラッキング誤差信号の変動を抑え、かつ小型化可能な光ピックアップ装置およびこれを搭載した光ディスク装置を提供することにある。
【課題を解決するための手段】
【００１３】
本発明による光ピックアップ装置は、波長が略４０５ｎｍのレーザ光を出射する半導体レーザと、前記半導体レーザから出射された光ビームを前記光ディスクに照射する開口数が略０．８５の対物レンズと、前記光ディスクを反射した光ビームを受光する受光部を有する光検出器とを備え、前記光ディスクから前記光検出器までの光学倍率を略１０〜１５倍の範囲としたことを特徴とする。
【００１４】
また本発明による光ピックアップ装置は、波長が略４０５ｎｍのレーザ光を出射する半導体レーザと、前記半導体レーザから出射された光ビームを少なくともメインビームと２つのサブビームに分岐する回折格子と、前記回折格子で分岐された光ビームを前記光ディスクに照射する開口数が略０．８５の対物レンズと、前記光ディスクを反射した光ビームを受光する受光部を有する光検出器とを備え、前記光検出器は、前記メインビームと前記２つのサブビームをそれぞれ受光する受光面を有し、該２つのサブビームを検出する２つの受光面の中央部には、ディスク半径方向に延び、所定幅で入射光を遮断する遮光帯を設け、前記光ディスクから前記光検出器までの光学倍率を略８〜１５倍の範囲としたことを特徴とする。
【発明の効果】
【００１５】
本発明によれば、複数の記録層を有する光ディスクを記録／再生する場合に、迷光によるサーボ信号の変動が低減し、かつ小型化可能な光ピックアップ装置を提供する。またこれにより、光ディスク装置の記録／再生性能が安定化する。
【図面の簡単な説明】
【００１６】
【図１】実施例１における光ピックアップ装置の光学系を示す図である。
【図２】光検出器の受光面と信号光の関係を示す図である。
【図３】トラッキング誤差信号の変動量の復路倍率依存性を示す図である。
【図４】光検出器に入射する信号光と迷光の関係を示す図である。
【図５】実施例２における光ピックアップ装置の光検出器の受光部を示す図である。
【図６】遮光帯を設けた場合のトラッキング誤差信号の変動量の復路倍率依存性を示す図である。
【図７】実施例３における光ディスク装置の概略構成を示す図である。
【発明を実施するための形態】
【００１７】
以下、本発明の実施形態を図面を用いて説明する。
【実施例１】
【００１８】
図１は、本発明の第１の実施例に係る光ピックアップ装置の光学系の構成を示したものである。本実施例では、光ディスクとして２層ＢＤ（Blu-ray Disc）を想定する。
【００１９】
半導体レーザ５０からは、ＢＤ用の波長略４０５ｎｍの光ビームが発散光として出射される。半導体レーザ５０から出射した光ビームは回折格子１１に入射し、少なくとも０次回折光（メインビーム）と±１次回折光（サブビーム）の３つの光ビームに分岐される。回折格子１１を出射した光ビームはビームスプリッタ５２を反射する。なお一部の光ビームは、ビームスプリッタ５２を透過しフロントモニタ５３に入射する。ビームスプリッタ５２を反射した光ビームは、コリメートレンズ５１により略平行な光ビームに変換される。なお、コリメートレンズ５１は光軸方向に駆動する機構を有しており、コリメートレンズ５１が光軸方向に駆動することで、対物レンズに入射する光ビームの発散・収束状態を変え、光ディスクのカバー層の厚み誤差による球面収差を補償することに使用される。コリメートレンズ５１を出射した光ビームは、立ち上げミラー５５、１／４波長板５６を経て、アクチュエータ５に搭載された対物レンズ２により光ディスク上に集光される。なお、光ディスク上のメインビームと２つのサブビームは、メインビームを中心にディスク半径方向（Ｒａｄ方向）に１／２トラックピッチ間隔で配置されている。
【００２０】
光ディスクを反射した光ビームは、対物レンズ２、１／４波長板５６、立ち上げミラー５５、コリメートレンズ５１、ビームスプリッタ５２、検出レンズ１２を経て、光検出器１０に入射する。検出レンズ１２では非点収差が与えられ、非点収差方式のフォーカス誤差信号が検出できる。
【００２１】
図２は、光検出器１０の受光面と信号光の関係を示したものである。信号光は検出レンズ１２により非点収差が与えられるため、受光面上ではメインビームに対し２つのサブビームは９０度回転し、ディスク接線方向にずれて入射される。
【００２２】
ここで、回折格子１１のメインビームＭＢ（０次回折光）は４分割受光面領域ａ１、ｂ１、ｃ１、ｄ１に入射し、第１のサブビームＳＢ１（＋１次回折光）は４分割受光面領域ｂｅ、ｂｆ、ｂｇ、ｂｈに入射し、第２のサブビームＳＢ２（−１次回折光）は４分割受光面領域ｂｉ、ｂｊ、ｂｋ、ｂｌに入射する。
【００２３】
そして、各領域ａ１、ｂ１、ｃ１、ｄ１、ｂｅ、ｂｆ、ｂｇ、ｂｈ、ｂｉ、ｂｊ、ｂｋ、ｂｌから得られた信号をそれぞれＡ１、Ｂ１、Ｃ１、Ｄ１、ＢＥ、ＢＦ、ＢＧ、ＢＨ、ＢＩ、ＢＪ、ＢＫ、ＢＬとすると、ＲＦ信号（ＲＦ）、トラッキング誤差信号（ＴＥＳ）、フォーカス誤差信号（ＦＥＳ）は以下の演算式（１）により生成される。
【００２４】
【数１】
2013182650.tif 000003
【００２５】
トラッキング誤差信号（ＴＥＳ）は、ＤＰＰ（Differential Push-Pull）方式の場合で、係数ｋｔｂは、対物レンズが変位した際にトラッキング誤差信号にＤＣ成分を発生させないように設定する。また、フォーカス誤差信号（ＦＥＳ）は以下の演算式（２）で生成しても良い。
【００２６】
【数２】
2013182650.tif 000004
【００２７】
なお、ｋｆｂは、回折格子１１の０次回折光と±１次回折光の光量差を補正する係数である。このような演算を行うことでフォーカス誤差信号の溝横断信号を抑制することが可能となる。
【００２８】
ここに本実施例のピックアップ装置では、光ディスクから光検出器１０までの復路の光学系の光学倍率（以下、復路倍率と呼ぶ）を、ＢＤの従来の復路倍率に対し大幅に小さくしたことに特徴がある。本実施例での復路倍率は、対物レンズ２の焦点距離ｆｏ、検出レンズ１２の焦点距離ｆｄ、コリメートレンズ５１の焦点距離ｆｃ、および検出レンズ１２とコリメートレンズ５１との間隔により決まる。具体的には、復路倍率を変更するために検出レンズ１２の焦点距離ｆｄ（曲率、屈折率、厚さ）を変更する。
【００２９】
従来の光ピックアップ装置では、復路倍率が２０〜２４倍程度となっていた。この復路倍率は、規格により光ピックアップ装置に搭載されている４分割受光面の大きさに依存している。ここで従来の受光面は、一辺が１００〜１２０μｍの正方形となっている。その理由は、受光面の面積が小さすぎると、それに伴って受光面上のスポット径を小さくしなければならず、光検出器等の位置ずれの問題が生じる。逆に受光面の面積を大きくしすぎると、ノイズが増大して再生性能が劣化するからである。このため従来の受光面は上記値が最適であり、これに伴い復路倍率は２０〜２４倍程度となっていた。これに対し、本実施例では復路倍率を大幅に小さくした。これにより、以下に述べるように、従来よりも安定してトラッキング誤差信号を検出可能となる。
【００３０】
以下、本実施例におけるトラッキング誤差信号変動の抑制効果について説明する。
【００３１】
図３は、トラッキング誤差信号の変動量の復路倍率依存性を示す図である。２層ディスクのＬａｙｅｒ０の再生時において、トラッキング誤差信号であるＤＰＰ信号の変動量と復路倍率の関係をシミュレーションした結果である。ＤＰＰ信号の変動量は、ＤＰＰ信号振幅で規格化した値としている。また、ＤＰＰ信号の変動量は、実際の使用条件を考慮し、対物レンズのディスク半径方向の変位量−０．２〜＋０．２ｍｍの範囲での最悪値としている。さらに光検出器の調整ばらつきを考慮し、図２に示す受光部をＴａｎ方向に＋８〜−８μｍの範囲でずらしたときの変動量を、それぞれ記号Ｄｅｔ＋８μｍ〜Ｄｅｔ−８μｍで示している。そして本シミュレーションは、表１に示す光学パラメータで計算を行った。
【００３２】
【表１】
2013182650.tif 000005
【００３３】
さらに復路倍率を変えた場合には、回折格子１１のトラックピッチを変更してサブビームＳＢ１，ＳＢ２がサブビーム用受光面に入射するように調整し、検出器１０上のスポットが同じになるよう検出レンズ１２の非点隔差量を変更している。
【００３４】
先に述べたように、従来規格の参照光学系では復路倍率は２４倍程度である。しかしながら図３の結果からすると、復路倍率を規格の参照光学系の値よりも小さくした方がトラッキング誤差信号の変動が小さくなることがわかる。ここでトラッキング誤差信号の変動量の許容値を考慮する。ＢＤでは所定トラックに追従するときのデトラック量は２０ｎｍ以下にする必要があり、そのためには、トラッキング誤差信号波形において、ＤＰＰ信号振幅に対するオフセット量を１９．２％以下とする必要がある。もしトラッキング誤差信号の変動が片側に発生すると仮定すれば、変動量の許容値は１９．２％以下（図中の破線で示す）となり、このときの最適な復路倍率は約１０．５〜１３．５倍となる。ただし、実際の変動量の許容値は、光ディスク装置でのサーボ制御の誤差量等を加味せねばならない。あるいは判断ポイントを変え、従来の光学系の条件（復路倍率：２４倍）と比較してトラッキング誤差信号の変動量の抑制効果を得るためには、復路倍率を約１０〜１５倍の範囲（矢印で示す）とすれば良いと言える。
【００３５】
ここで、本実施例の効果の発生理由について考察する。まず干渉によるトラッキング誤差信号の変動について説明する。
【００３６】
図４は、光検出器の受光面に入射する信号光と迷光の関係を示す図である。光検出器１０には、２層ディスクを記録／再生する際には、目的の記録層を反射した信号光（メインビームＭＢ、第１のサブビームＳＢ１、第２のサブビームＳＢ２）の他に、目的層以外の記録層を反射した迷光（メインビーム迷光ＭＳ、第１のサブビーム迷光ＳＳ１、第２のサブビーム迷光ＳＳ２）が照射される。ここで、例えばメインビームＭＢを受ける４分割受光面（領域ａ１、ｂ１、ｃ１、ｄ１）上では、メインビームの信号光ＭＢの他に各迷光（ＭＳ、ＳＳ１、ＳＳ２）が入射するため、ＭＢとＭＳ、ＭＢとＳＳ１、ＭＢとＳＳ２、ＭＳとＳＳ１、ＭＳとＳＳ２の干渉が発生する。また、第１、第２のサブビームＳＢ１、Ｂ２を受ける４分割受光面についても同様に干渉が発生する。
【００３７】
ここで、干渉する光ビームの位相差が変化しない限り干渉状態が変化しないため、光量変化はなくトラッキング誤差信号は変動しない。ただし、実際には位相差が時間的に変化するため干渉状態が時間変化し、トラッキング誤差信号の変動が生じる。この時間的に変化する位相差は、主にディスクを要因として発生する。具体的には、ディスク記録層であるＬａｙｅｒ０とＬａｙｅｒ１の層間隔が変化している場合、それに伴ってそれぞれの光ビームの位相が変化する。他の要因としては、ディスクチルトによっても光ビームの位相が変化する。
【００３８】
次に、復路倍率とトラッキング誤差信号の変動量の関係について説明する。まず、迷光（メインビーム迷光ＭＳ、第１のサブビーム迷光ＳＳ１、第２のサブビーム迷光ＳＳ２）の外径は復路倍率に依存しており、復路倍率が大きいほど迷光の外径が大きくなる。このため、受光面の受ける迷光の光量の観点からは、復路倍率を大きくした方が光量が少なくなり、トラッキング誤差信号の変動が小さいと考えられるが、実際の結果は異なる。これは、光検出器に入射する光ビームの位相は光ビーム内で一定となっておらず、この光ビーム内の位相分布に依存してトラッキング誤差信号が変動すると考えられる。特に迷光に関しては、光ビーム内の位置に応じて位相は大きく異なっている。
【００３９】
復路倍率が大きい場合には迷光の外径が大きくなるため、受光面上で考えると位相変化量が小さい。この結果、受光面上の光ビームには粗い（大きな）干渉縞が発生する。それに対し、復路倍率を小さくした場合には迷光の外径が小さくなるため、受光面上で考えると位相変化量は大きくなる。その結果、受光面上の光ビームに細かい（小さい）干渉縞が発生する。これらを比較すると、細かい（小さい）干渉縞の方が受光面内で平均化されやすいため、変動量が小さくなるのである。特にトラッキング誤差信号は、受光面上の信号の差動信号のため、干渉縞の粗さの違いが出やすいものとなっている。
【００４０】
ただし、復路倍率を小さくし過ぎると受光面の受ける迷光の光量が大きくなってしまい、細かい干渉縞であっても光量差が大きくなる。その結果、トラッキング誤差信号変動が増大してしまう。このため図３に示すように、変動量が最小になる復路倍率（約１２倍程度）が存在し、この最小点を挟んで両側で変動量が増加する傾向を示すのである。上記したトラッキング誤差信号の変動のメカニズムについては、従来は厳密に解明されておらず、また、迷光の干渉に伴う変動量を最小にする光学倍率についても明確にされていなかった。
【００４１】
以上のような理由で、本実施例では、ＤＰＰ方式のトラッキング誤差信号検出において、復路倍率を従来よりも大幅に小さな約１０〜１５倍とすることで、安定したトラッキング誤差信号を生成することが可能となる。その際、特許文献１や特許文献２（非特許文献１）のように複雑な構成にする必要がないため、光ピックアップ装置が大型化することはなくコストの面でも有利となる。むしろ、復路倍率の低下に伴い光学系が縮小し光ピックアップ装置の小型化を実現できる。また、本実施例で示した図３では、受光面およびスポットサイズが従来と同等であるため、光検出器の位置ずれや再生性能劣化については従来同等となる。
【実施例２】
【００４２】
図５は、本発明の第２の実施例に係る光ピックアップ装置の光検出器１０の受光部を示したものである。実施例１（図２）との違いは、検出器１０上の第１、第２のサブビームＳＢ１、ＳＢ２の受光部の中央部に遮光帯２０を設けたことである。それ以外は実施例１と同様の構成であり、説明を省略する。遮光帯２０は、所定の幅でディスク半径方向に延び、この領域に入射する第１、第２のサブビームＳＢ１、ＳＢ２を遮断する。その結果、受光面の領域ｂｅ、ｂｆ、ｂｇ、ｂｈ、ｂｉ、ｂｊ、ｂｋ、ｂｌから得られる信号ＢＥ、ＢＦ、ＢＧ、ＢＨ、ＢＩ、ＢＪ、ＢＫ、ＢＬは、遮光帯２０の影響を受けて変化する。これらの信号から、前記した演算式（１）（２）によりＲＦ信号（ＲＦ）、トラッキング誤差信号（ＴＥＳ）、フォーカス誤差信号（ＦＥＳ）が生成される。
【００４３】
実施例２においても、ディスクから光検出器１０までの光学系の復路倍率を従来よりも大幅に小さくしたことを特徴としている。ただし、光検出器１０の受光部に遮光帯２０を設けたことにより、復路倍率の最適値が変化する。
【００４４】
図６は、遮光帯を設けた場合のトラッキング誤差信号の変動量の復路倍率依存性を示す図である。前記実施例１（図３）と同様に、２層ディスクのＬａｙｅｒ０再生時におけるＤＰＰ信号の変動量と復路倍率の関係をシミュレーションした結果である。ここでは、図５に示す受光部をＴａｎ方向に＋８〜−８μｍの範囲でずらし、それぞれの変動量を記号Ｄｅｔ＋８μｍ〜Ｄｅｔ−８μｍで示している。本シミュレーションは、表２に示す光学パラメータで計算を行った。前記実施例１（表１）との違いは、検出器受光面に３７μｍ幅の遮光帯を与えたことである。
【００４５】
【表２】
2013182650.tif 000006
【００４６】
さらに光学倍率を変えた場合には、回折格子１１のトラックピッチを変更してサブビームＳＢ１，ＳＢ２がサブビーム用受光面に入射するように調整し、検出器１０上のスポットが同じになるよう検出範囲を変更している。
【００４７】
図６より、遮光帯を設けた場合でも、復路倍率を従来の値（２４倍）よりも小さくすることでトラッキング誤差信号の変動が小さくなることがわかる。変動量が低減した理由は実施例１と同様である。ただし、トラッキング誤差信号の変動量の許容値１９．２％以下に対し、最適な復路倍率は約８〜２５倍の範囲（矢印で示す）に拡大する。そして、この範囲内で位置ずれを考慮して従来の光学系（復路倍率：２４倍）よりも良好にするためには、約１０〜１５倍であれば良い。これらより、検出器受光面に遮光帯を設けた本実施例の場合には、約８〜１５倍とすることで有意の効果を得ることができる。
【００４８】
ここで、実施例２の結果（図６）を実施例１の結果（図３）と比較すると、実施例２（図６）の方がトラッキング誤差信号の変動量が小さくなっている。以下、サブビームの受光部の中央部に遮光帯を設けたときの改善の理由について説明する。
【００４９】
通常、サブビームの強度はメインビームの１／２０〜１／１０程度に落し、記録時に記録済のマークを消去しないようにしている。そして、光ピックアップ装置や光ディスク装置では、サブビームで検出した信号を所定倍して出力している。このため、サブビームが干渉により変動すると、その変動分も所定倍されてしまうため、メインビームよりもサブビームの変動量が大きくなってしまう。また、スポット中央部は位相の変化が小さいため、受光面の中央部に粗い（大きな）干渉縞が発生する。これに対し、本実施例のようにサブビームの受光部の中央部に遮光帯を設けることで、変動量が大きくなりやすいサブビームに対し、変動を効果的に抑制することができるのである。
【００５０】
以上のような理由で、実施例２では、ＤＰＰ方式のトラッキング誤差信号検出において、復路倍率を従来よりも大幅に小さな約８〜１５倍とすることで、安定したトラッキング誤差信号を生成することが可能となる。その際、特許文献１や特許文献２（非特許文献１）のように複雑な構成にする必要がないため、光ピックアップ装置が大型化することはなくコストの面でも有利となる。むしろ、復路倍率の低下に伴い光学系が縮小し光ピックアップ装置の小型化を実現できる。
【００５１】
上記した実施例１，２では、２層ディスクを前提に説明を行なったが、２層以上の多層ディスクであっても同様にトラッキング誤差信号変動を抑制することが可能である。また、図１の光学系はＢＤ光学系のみとしたが、ＤＶＤやＣＤの光学系と組み合わせても良い。さらに、ＢＤの受光部をＤＶＤやＣＤの受光部と共通化しても良い。
【００５２】
実施例１，２は、復路倍率を適切に設定することでトラッキング誤差信号の変動を低減することが特徴であり、回折格子１１のパターンやその他の光学部品は図１と異なっても良い。また、各実施例の動作は信号光と迷光の関係と復路倍率に依存するため、受光部の大きさには依存しない。なお、各実施例では３つのビームで説明したが、メインビームが１つでサブビームが２つ以上であっても同様の効果が得られる。また、実施例１については、サブビームがなく、メインビームのみとしても同様の効果が得られる。なお、非点収差方式のフォーカス誤差信号は、トラッキング誤差信号のような干渉信号でなくスポット形状の変化によりサーボ信号を生成しているので、干渉による問題は生じない。
【実施例３】
【００５３】
実施例３では、前記した実施例１、２による光ピックアップ装置１７０を搭載した光ディスク装置について説明する。
図７は、第３の実施例に係る光ディスク装置の概略構成を示す図である。光ピックアップ装置１７０は、前記の実施例１、２のいずれかの構成を有する。光ディスク１００はスピンドルモータ１８０により回転させ、光ピックアップ装置１７０からレーザ光を照射して情報の記録再生を行う。光ピックアップ装置１７０には、光ディスク１００の半径方向（Ｒａｄ方向）に移動する機構が設けられ、アクセス制御回路１７２からの制御信号に応じて位置決めされる。
【００５４】
レーザ点灯回路１７７は、光ピックアップ装置１７０内の半導体レーザ５０に所定のレーザ駆動電流を供給し、半導体レーザ５０からは記録または再生に応じて所定の光量でレーザ光が出射される。なお、レーザ点灯回路１７７は光ピックアップ装置１７０内に組み込むこともできる。
【００５５】
光ピックアップ装置１７０内の光検出器１０から出力された信号は、サーボ信号生成回路１７４および情報信号再生回路１７５に送られる。サーボ信号生成回路１７４では、光検出器１０からの検出信号を用いて演算し、トラッキング制御信号、フォーカス制御信号、ならびにチルト制御信号などのサーボ信号を生成する。アクチュエータ駆動回路１７３は、サーボ信号をもとに光ピックアップ装置１７０内のアクチュエータ５を駆動して、対物レンズ２の位置制御を行う。
【００５６】
情報信号再生回路１７５では、光検出器１０からの検出信号（ＲＦ信号）に基づいて、光ディスク１００に記録されている情報の再生信号を生成しコントロール回路１７６に送る。情報信号記録回路１７８は、コントロール回路１７６から受けた情報に基づき記録制御信号を生成し、レーザ点灯回路１７７を制御して光ディスク１００へ所望の情報を記録する。
【００５７】
サーボ信号生成回路１７４および情報信号再生回路１７５で生成された信号の一部は、コントロール回路１７６に送られる。コントロール回路１７６は、スピンドルモータ駆動回路１７１、アクセス制御回路１７２、サーボ信号生成回路１７４、レーザ点灯回路１７７、球面収差補正素子駆動回路１７９を指令し、スピンドルモータ１８０の回転制御、光ピックアップ装置１７０のアクセス位置の制御、対物レンズ２のサーボ制御、半導体レーザ５０の発光光量の制御、球面収差の補正などを行う。
【００５８】
実施例３の光ディスク装置によれば、複数の記録層を有する光ディスクを記録／再生する場合に、迷光によるサーボ信号の変動を抑え、安定した記録／再生動作を行うことができる。光ディスク装置が再生専用の場合でも同様である。
【００５９】
なお、本発明は上記した各実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６０】
２：対物レンズ、５：アクチュエータ、１０：光検出器、１１：回折格子、１２：検出レンズ、２０：遮光帯、５０：半導体レーザ、５１：コリメートレンズ、５２：ビームスプリッタ、５５：立ち上げミラー、５６：１／４波長板、１００：光ディスク、１７０：光ピックアップ装置、１７１：スピンドルモータ駆動回路、１７２：アクセス制御回路、１７３：アクチュエータ駆動回路、１７４：サーボ信号生成回路、１７５：情報信号再生回路、１７６：コントロール回路、１７７：レーザ点灯回路、１７８：情報記録回路、１７９：球面収差補正素子駆動回路、１８０：スピンドルモータ、ＭＢ：メインビーム、ＳＢ：サブビーム、ＭＳ：メインビームの迷光、ＳＳ：サブビームの迷光。
【図１】
2013182650.tif 000007
【図２】
2013182650.tif 000008
【図３】
2013182650.tif 000009
【図４】
2013182650.tif 000010
【図５】
2013182650.tif 000011
【図６】
2013182650.tif 000012
【図７】
2013182650.tif 000013